(57)【要約】【課題】干渉制御用サブフレームと非干渉制御用サブフレームとを時分割多重する移動体通信システムの干渉制御システムにおいて、下りリンク通信容量を向上させることができる干渉制御装置、端末、及び干渉制御システムを提供する。【解決手段】干渉制御装置１００ａは、パターンを記憶するサブセット管理部１１０ａと、セル参照信号の下り送信電力設定値ＴとサブフレームＡの下り送信電力値との干渉制御用差分値、下り送信電力設定値ＴとサブフレームＢの下り送信電力値との非干渉制御用差分値を記憶する電力差分管理部１９０と、干渉制御用差分値及び非干渉制御用差分値メッセージを生成する下り送信電力差分メッセージ生成部１９５ａと、パターンメッセージ生成部１４０と、セル参照信号を送信する参照信号変調部１５２と、干渉制御用差分値及び非干渉制御用差分値をパターンに応じて送信する非参照信号変調部１５１と、を備える。【選択図】図１
2013131823.tif 000002
【特許請求の範囲】
【請求項１】
干渉制御用サブフレームと非干渉制御用サブフレームとを時分割多重する移動体通信システムの干渉制御システムにおいて、
非参照信号を含む干渉制御用サブフレーム及び非干渉制御用サブフレームの送信順を示すサブセットパターンを記憶するサブセット管理部と、
参照信号の下り送信電力として予め定められた設定値と、干渉制御用サブフレームを送信するための下り送信電力値と、の差分値である干渉制御用サブフレーム下り送信電力差分値を示す情報を、干渉制御用サブフレームに対応付けて記憶し、前記設定値と、非干渉制御用サブフレームを送信するための下り送信電力値と、の差分値である非干渉制御用サブフレーム下り送信電力差分値を示す情報を、非干渉制御用サブフレームに対応付けて記憶する電力差分管理部と、
前記干渉制御用サブフレーム下り送信電力差分値を示すメッセージ、及び、前記非干渉制御用サブフレーム下り送信電力差分値を示すメッセージを生成する下り送信電力差分メッセージ生成部と、
前記サブセットパターンを示すメッセージを生成するパターンメッセージ生成部と、
前記設定値により定まる下り送信電力で、前記参照信号を送信する参照信号送信部と、
前記干渉制御用サブフレーム下り送信電力差分値を示すメッセージ及び前記非干渉制御用サブフレーム下り送信電力差分値を示すメッセージと、前記サブセットパターンを示すメッセージとを、前記サブセットパターンに応じて非参照信号として送信する非参照信号送信部と、
を備えることを特徴とする干渉制御装置。
【請求項２】
干渉制御用サブフレームと非干渉制御用サブフレームとを時分割多重する移動体通信システムの干渉制御システムにおいて、
参照信号の下り送信電力として予め定められた設定値と干渉制御用サブフレームを送信するための下り送信電力値との差分値である干渉制御用サブフレーム下り送信電力差分値と、前記設定値と非干渉制御用サブフレームを送信するための下り送信電力値との差分値である非干渉制御用サブフレーム下り送信電力差分値と、について、前記干渉制御用サブフレーム下り送信電力差分値を示すメッセージ及び前記非干渉制御用サブフレーム下り送信電力差分値を示すメッセージと、非参照信号を含む干渉制御用サブフレーム及び非干渉制御用サブフレームの送信順を示すサブセットパターンを示すメッセージと、前記参照信号と、を受信する受信部と、
前記干渉制御用サブフレーム下り送信電力差分値を示すメッセージ、及び、前記非干渉制御用サブフレーム下り送信電力差分値を示すメッセージを検知する下り送信電力差分メッセージ検知部と、
前記サブセットパターンを示すメッセージを検知するパターンメッセージ検知部と、
前記参照信号の受信電力を測定する測定部と、
受信されたサブフレームが干渉制御用サブフレーム又は非干渉制御用サブフレームのいずれであるかを、前記サブセットパターンを示すメッセージに基づいて検出し、受信された干渉制御用サブフレームに対して前記干渉制御用サブフレーム下り送信電力差分値を選択し、受信された非干渉制御用サブフレームに対して前記非干渉制御用サブフレーム下り送信電力差分値を選択する、電力差分・サブセット管理部と、
前記干渉制御用サブフレーム下り送信電力差分値が選択された場合、前記参照信号の受信電力と前記干渉制御用サブフレーム下り送信電力差分値とに基づいて、干渉制御用サブフレームの下りチャネル品質を算出し、前記非干渉制御用サブフレーム下り送信電力差分値が選択された場合、前記参照信号の受信電力と前記非干渉制御用サブフレーム下り送信電力差分値とに基づいて、非干渉制御用サブフレームの下りチャネル品質を算出するチャネル情報推定部と、
を備えることを特徴とする端末。
【請求項３】
干渉制御用サブフレームと非干渉制御用サブフレームとを時分割多重する移動体通信システムの干渉制御システムにおいて、
非参照信号を含む干渉制御用サブフレーム及び非干渉制御用サブフレームの送信順を示すサブセットパターンを記憶するサブセット管理部と、
参照信号の下り送信電力として予め定められた設定値と、干渉制御用サブフレームを送信するための下り送信電力値と、の差分値である干渉制御用サブフレーム下り送信電力差分値を示す情報を、干渉制御用サブフレームに対応付けて記憶し、前記設定値と、非干渉制御用サブフレームを送信するための下り送信電力値と、の差分値である非干渉制御用サブフレーム下り送信電力差分値を示す情報を、非干渉制御用サブフレームに対応付けて記憶する電力差分管理部と、
前記干渉制御用サブフレーム下り送信電力差分値及び前記非干渉制御用サブフレーム下り送信電力差分値に基づいて、前記干渉制御用サブフレーム下り送信電力差分値と前記非干渉制御用サブフレーム下り送信電力差分値との差である差分値差分を算出する差分算出部と、
前記干渉制御用サブフレーム下り送信電力差分値及び前記差分値差分を示すメッセージ、又は、前記非干渉制御用サブフレーム下り送信電力差分値及び前記差分値差分を示すメッセージを生成する下り送信電力差分メッセージ生成部と、
前記サブセットパターンを示すメッセージを生成するパターンメッセージ生成部と、
前記設定値により定まる下り送信電力で、前記参照信号を送信する参照信号送信部と、
前記干渉制御用サブフレーム下り送信電力差分値及び前記差分値差分を示すメッセージ、又は、前記非干渉制御用サブフレーム下り送信電力差分値及び前記差分値差分を示すメッセージと、前記サブセットパターンを示すメッセージとを、前記サブセットパターンに応じて非参照信号として送信する非参照信号送信部と、
を備えることを特徴とする干渉制御装置。
【請求項４】
干渉制御用サブフレームと非干渉制御用サブフレームとを時分割多重する移動体通信システムの干渉制御システムにおいて、
参照信号の下り送信電力として予め定められた設定値と干渉制御用サブフレームを送信するための下り送信電力値との差分値である干渉制御用サブフレーム下り送信電力差分値と、前記設定値と非干渉制御用サブフレームを送信するための下り送信電力値との差分値である非干渉制御用サブフレーム下り送信電力差分値と、前記干渉制御用サブフレーム下り送信電力差分値と前記非干渉制御用サブフレーム下り送信電力差分値との差である差分値差分と、について、前記干渉制御用サブフレーム下り送信電力差分値及び前記差分値差分を示すメッセージ、又は、前記非干渉制御用サブフレーム下り送信電力差分値及び前記差分値差分を示すメッセージと、非参照信号を含む干渉制御用サブフレーム及び非干渉制御用サブフレームの送信順を示すサブセットパターンを示すメッセージと、前記参照信号と、を受信する受信部と、
前記干渉制御用サブフレーム下り送信電力差分値及び前記差分値差分を示すメッセージ、又は、前記非干渉制御用サブフレーム下り送信電力差分値及び前記差分値差分を示すメッセージを検知する下り送信電力差分メッセージ検知部と、
前記非干渉制御用サブフレーム下り送信電力差分値を前記干渉制御用サブフレーム下り送信電力差分値及び前記差分値差分に基づいて算出し、又は、前記干渉制御用サブフレーム下り送信電力差分値を前記非干渉制御用サブフレーム下り送信電力差分値及び前記差分値差分に基づいて算出する差分補正部と、
前記サブセットパターンを示すメッセージを検知するパターンメッセージ検知部と、
前記参照信号の受信電力を測定する測定部と、
受信されたサブフレームが干渉制御用サブフレーム又は非干渉制御用サブフレームのいずれであるかを、前記サブセットパターンを示すメッセージに基づいて検出し、受信された干渉制御用サブフレームに対して前記干渉制御用サブフレーム下り送信電力差分値を選択し、受信された非干渉制御用サブフレームに対して前記非干渉制御用サブフレーム下り送信電力差分値を選択する、電力差分・サブセット管理部と、
前記干渉制御用サブフレーム下り送信電力差分値が選択された場合、前記参照信号の受信電力と前記干渉制御用サブフレーム下り送信電力差分値とに基づいて、干渉制御用サブフレームの下りチャネル品質を算出し、前記非干渉制御用サブフレーム下り送信電力差分値が選択された場合、前記参照信号の受信電力と前記非干渉制御用サブフレーム下り送信電力差分値とに基づいて、非干渉制御用サブフレームの下りチャネル品質を算出するチャネル情報推定部と、
を備えることを特徴とする端末。
【請求項５】
干渉制御用サブフレームと非干渉制御用サブフレームとを時分割多重する移動体通信システムの干渉制御システムにおいて、
非参照信号を含む干渉制御用サブフレーム及び非干渉制御用サブフレームの送信順を示すサブセットパターンを記憶するサブセット管理部と、
参照信号の下り送信電力として予め定められた設定値と、干渉制御用サブフレームを送信するための下り送信電力値と、の差分値である干渉制御用サブフレーム下り送信電力差分値を示す情報を、干渉制御用サブフレームに対応付けて記憶し、前記設定値と、非干渉制御用サブフレームを送信するための下り送信電力値と、の差分値である非干渉制御用サブフレーム下り送信電力差分値を示す情報を、非干渉制御用サブフレームに対応付けて記憶する電力差分管理部と、
前記干渉制御用サブフレーム下り送信電力差分値及び前記非干渉制御用サブフレーム下り送信電力差分値に基づいて、前記干渉制御用サブフレーム下り送信電力差分値及び前記非干渉制御用サブフレーム下り送信電力差分値の加算平均による平均値と、前記干渉制御用サブフレーム下り送信電力差分値又は前記非干渉制御用サブフレーム下り送信電力差分値と前記平均値との差である平均値差分とを算出する、平均・差分算出部と、
前記平均値及び前記平均値差分を示すメッセージを生成する下り送信電力差分メッセージ生成部と、
前記サブセットパターンを示すメッセージを生成するパターンメッセージ生成部と、
前記設定値により定まる下り送信電力で、前記参照信号を送信する参照信号送信部と、
前記平均値及び前記平均値差分を示すメッセージと、前記サブセットパターンを示すメッセージとを、前記サブセットパターンに応じて非参照信号として送信する非参照信号送信部と、
を備えることを特徴とする干渉制御装置。
【請求項６】
干渉制御用サブフレームと非干渉制御用サブフレームとを時分割多重する移動体通信システムの干渉制御システムにおいて、
参照信号の下り送信電力として予め定められた設定値と干渉制御用サブフレームを送信するための下り送信電力値との差分値である干渉制御用サブフレーム下り送信電力差分値と、前記設定値と非干渉制御用サブフレームを送信するための下り送信電力値との差分値である非干渉制御用サブフレーム下り送信電力差分値と、前記干渉制御用サブフレーム下り送信電力差分値及び前記非干渉制御用サブフレーム下り送信電力差分値の加算平均による平均値と、前記干渉制御用サブフレーム下り送信電力差分値又は前記非干渉制御用サブフレーム下り送信電力差分値と前記平均値との差である平均値差分と、について、前記平均値及び前記平均値差分を示すメッセージと、非参照信号を含む干渉制御用サブフレーム及び非干渉制御用サブフレームの送信順を示すサブセットパターンを示すメッセージと、前記参照信号と、を受信する受信部と、
前記平均値及び前記平均値差分を示すメッセージを検知する下り送信電力差分メッセージ検知部と、
前記干渉制御用サブフレーム下り送信電力差分値及び前記非干渉制御用サブフレーム下り送信電力差分値を、前記平均値及び前記平均値差分に基づいて算出する平均・差分補正部と、
前記サブセットパターンを示すメッセージを検知するパターンメッセージ検知部と、
前記参照信号の受信電力を測定する測定部と、
受信されたサブフレームが干渉制御用サブフレーム又は非干渉制御用サブフレームのいずれであるかを、前記サブセットパターンを示すメッセージに基づいて検出し、受信された干渉制御用サブフレームに対して前記干渉制御用サブフレーム下り送信電力差分値を選択し、受信された非干渉制御用サブフレームに対して前記非干渉制御用サブフレーム下り送信電力差分値を選択する、電力差分・サブセット管理部と、
前記干渉制御用サブフレーム下り送信電力差分値が選択された場合、前記参照信号の受信電力と前記干渉制御用サブフレーム下り送信電力差分値とに基づいて、干渉制御用サブフレームの下りチャネル品質を算出し、前記非干渉制御用サブフレーム下り送信電力差分値が選択された場合、前記参照信号の受信電力と前記非干渉制御用サブフレーム下り送信電力差分値とに基づいて、非干渉制御用サブフレームの下りチャネル品質を算出するチャネル情報推定部と、
を備えることを特徴とする端末。
【請求項７】
干渉制御用サブフレームと非干渉制御用サブフレームとを時分割多重する移動体通信システムの干渉制御システムにおいて、
非参照信号を含む干渉制御用サブフレーム及び非干渉制御用サブフレームの送信順を示すサブセットパターンを記憶するサブセット管理部と、
参照信号の下り送信電力として予め定められた設定値と干渉制御用サブフレームを送信するための下り送信電力値との差分値である干渉制御用サブフレーム下り送信電力差分値と、前記設定値と非干渉制御用サブフレームを送信するための下り送信電力値との差分値である非干渉制御用サブフレーム下り送信電力差分値と、の組み合わせを識別するための識別情報を、予め定められた条件に基づいて選択する電力差分テーブル管理部と、
選択された前記識別情報を示すメッセージを生成する下り送信電力差分メッセージ生成部と、
前記サブセットパターンを示すメッセージを生成するパターンメッセージ生成部と、
前記設定値により定まる下り送信電力で、前記参照信号を送信する参照信号送信部と、
選択された前記識別情報を示すメッセージと、前記サブセットパターンを示すメッセージとを、前記サブセットパターンに応じて非参照信号として送信する非参照信号送信部と、
を備えることを特徴とする干渉制御装置。
【請求項８】
干渉制御用サブフレームと非干渉制御用サブフレームとを時分割多重する移動体通信システムの干渉制御システムにおいて、
参照信号の下り送信電力として予め定められた設定値と干渉制御用サブフレームを送信するための下り送信電力値との差分値である干渉制御用サブフレーム下り送信電力差分値と、前記設定値と非干渉制御用サブフレームを送信するための下り送信電力値との差分値である非干渉制御用サブフレーム下り送信電力差分値と、の組み合わせを識別するための識別情報について、選択された前記識別情報を示すメッセージと、非参照信号を含む干渉制御用サブフレーム及び非干渉制御用サブフレームの送信順を示すサブセットパターンを示すメッセージと、前記参照信号と、を受信する受信部と、
選択された前記識別情報を示すメッセージを検知する下り送信電力差分メッセージ検知部と、
前記サブセットパターンを示すメッセージを検知するパターンメッセージ検知部と、
前記参照信号の受信電力を測定する測定部と、
受信されたサブフレームが干渉制御用サブフレーム又は非干渉制御用サブフレームのいずれであるかを、前記サブセットパターンを示すメッセージに基づいて検出し、受信された干渉制御用サブフレームに対して、選択された前記識別情報に対応付けられた前記干渉制御用サブフレーム下り送信電力差分値を選択し、受信された非干渉制御用サブフレームに対して、選択された前記識別情報に対応付けられた前記非干渉制御用サブフレーム下り送信電力差分値を選択する、電力差分・識別情報テーブル管理部と、
前記干渉制御用サブフレーム下り送信電力差分値が選択された場合、前記参照信号の受信電力と前記干渉制御用サブフレーム下り送信電力差分値とに基づいて、干渉制御用サブフレームの下りチャネル品質を算出し、前記非干渉制御用サブフレーム下り送信電力差分値が選択された場合、前記参照信号の受信電力と前記非干渉制御用サブフレーム下り送信電力差分値とに基づいて、非干渉制御用サブフレームの下りチャネル品質を算出するチャネル情報推定部と、
を備えることを特徴とする端末。
【請求項９】
干渉制御用サブフレームと非干渉制御用サブフレームとを時分割多重する移動体通信システムの干渉制御システムにおいて、
請求項１から請求項８のいずれか一項に記載の干渉制御装置及び端末
を備えることを特徴とする干渉制御システム。
【発明の詳細な説明】
【技術分野】
【０００１】
本発明は、無線通信における、干渉制御装置、端末、及び干渉制御システムに関する。
【背景技術】
【０００２】
移動通信システムとして、３ＧＰＰ（Ｔｈｉｒｄ Ｇｅｎｅｒａｔｉｏｎ Ｐａｒｔｎｅｒｓｈｉｐ Ｐｒｏｊｅｃｔ）の標準規格の一つであるＬＴＥ（Ｌｏｎｇ Ｔｅｒｍ Ｅｖｏｌｕｔｉｏｎ）が知られている（非特許文献1参照）。
【０００３】
近年、３ＧＰＰでは、ＬＴＥを更に高度化させたＬＴＥ−Ａｄｖａｎｃｅｄに関する検討が行われており、その中でも、ヘテロジニアスネットワーク（ＨｅｔＮｅｔ）の検討が活発である。３ＧＰＰでは、ヘテロジニアスネットワークにおける干渉制御技術として、時分割多重(Ｔｉｍｅ Ｄｉｖｉｓｉｏｎ Ｍｕｌｔｉｐｌｅｘ：ＴＤＭ)型干渉制御（非特許文献２参照）、及び、キャリアアグリゲーション(Ｃａｒｒｉｅｒ Ａｇｇｒｅｇａｔｉｏｎ：ＣＡ)ベース干渉制御（非特許文献３参照）が検討されている。
【先行技術文献】
【非特許文献】
【０００４】
【非特許文献１】3GPP, TS36.201, “Evolved Universal Terrestrial Radio Access (E-UTRA); LTE physical layer; General description”, V9.1.0, Mar. 2010.
【非特許文献２】小西  外２名，“TDM型干渉制御手法を適用したピコ局混在型HetNetにおける下りリンクの性能評価，”B-5-73，信学総大，Mar. 2011．
【非特許文献３】伏木  外３名，“ピコ局混在型HetNet用干渉制御手法に関する下りリンクでの性能比較，”B-5-48，信学通ソ，Sep. 2011．
【発明の概要】
【発明が解決しようとする課題】
【０００５】
しかしながら、時分割多重型干渉制御において、非干渉制御用サブフレームよりも低い送信電力で干渉制御用サブフレームが運用された場合、端末は、干渉制御用サブフレーム又は非干渉制御用サブフレームのいずれか一方について、受信信号対干渉雑音比（Ｓｉｇｎａｌ−ｔｏ−Ｉｎｔｅｒｆｅｒｅｎｃｅ ａｎｄ Ｎｏｉｓｅ ｐｏｗｅｒ Ｒａｔｉｏ: 受信ＳＩＮＲ）を正しく推定することができない。また、正しい受信ＳＩＮＲが端末から通知されない場合、基地局は、適切な変調符号化方法（Ｍｏｄｕｌａｔｉｏｎ ａｎｄ Ｃｏｄｉｎｇ Ｓｃｈｅｍｅ：ＭＣＳ）を選択することができないので、下りリンク通信容量を向上させることができないという問題がある。
【０００６】
本発明は、前記の諸点に鑑みてなされたものであり、干渉制御用サブフレームと非干渉制御用サブフレームとを時分割多重する移動体通信システムの干渉制御システムにおいて、下りリンク通信容量を向上させることができる干渉制御装置、端末、及び干渉制御システムを提供することを目的とする。
【課題を解決するための手段】
【０００７】
本発明は、上記の課題を解決するためになされたものであり、干渉制御用サブフレームと非干渉制御用サブフレームとを時分割多重する移動体通信システムの干渉制御システムにおいて、非参照信号を含む干渉制御用サブフレーム及び非干渉制御用サブフレームの送信順を示すサブセットパターンを記憶するサブセット管理部と、参照信号の下り送信電力として予め定められた設定値と、干渉制御用サブフレームを送信するための下り送信電力値と、の差分値である干渉制御用サブフレーム下り送信電力差分値を示す情報を、干渉制御用サブフレームに対応付けて記憶し、前記設定値と、非干渉制御用サブフレームを送信するための下り送信電力値と、の差分値である非干渉制御用サブフレーム下り送信電力差分値を示す情報を、非干渉制御用サブフレームに対応付けて記憶する電力差分管理部と、前記干渉制御用サブフレーム下り送信電力差分値を示すメッセージ、及び、前記非干渉制御用サブフレーム下り送信電力差分値を示すメッセージを生成する下り送信電力差分メッセージ生成部と、前記サブセットパターンを示すメッセージを生成するパターンメッセージ生成部と、前記設定値により定まる下り送信電力で、前記参照信号を送信する参照信号送信部と、前記干渉制御用サブフレーム下り送信電力差分値を示すメッセージ及び前記非干渉制御用サブフレーム下り送信電力差分値を示すメッセージと、前記サブセットパターンを示すメッセージとを、前記サブセットパターンに応じて非参照信号として送信する非参照信号送信部と、を備えることを特徴とする干渉制御装置である。
【０００８】
また、本発明は、干渉制御用サブフレームと非干渉制御用サブフレームとを時分割多重する移動体通信システムの干渉制御システムにおいて、参照信号の下り送信電力として予め定められた設定値と干渉制御用サブフレームを送信するための下り送信電力値との差分値である干渉制御用サブフレーム下り送信電力差分値と、前記設定値と非干渉制御用サブフレームを送信するための下り送信電力値との差分値である非干渉制御用サブフレーム下り送信電力差分値と、について、前記干渉制御用サブフレーム下り送信電力差分値を示すメッセージ及び前記非干渉制御用サブフレーム下り送信電力差分値を示すメッセージと、非参照信号を含む干渉制御用サブフレーム及び非干渉制御用サブフレームの送信順を示すサブセットパターンを示すメッセージと、前記参照信号と、を受信する受信部と、前記干渉制御用サブフレーム下り送信電力差分値を示すメッセージ、及び、前記非干渉制御用サブフレーム下り送信電力差分値を示すメッセージを検知する下り送信電力差分メッセージ検知部と、前記サブセットパターンを示すメッセージを検知するパターンメッセージ検知部と、前記参照信号の受信電力を測定する測定部と、受信されたサブフレームが干渉制御用サブフレーム又は非干渉制御用サブフレームのいずれであるかを、前記サブセットパターンを示すメッセージに基づいて検出し、受信された干渉制御用サブフレームに対して前記干渉制御用サブフレーム下り送信電力差分値を選択し、受信された非干渉制御用サブフレームに対して前記非干渉制御用サブフレーム下り送信電力差分値を選択する、電力差分・サブセット管理部と、前記干渉制御用サブフレーム下り送信電力差分値が選択された場合、前記参照信号の受信電力と前記干渉制御用サブフレーム下り送信電力差分値とに基づいて、干渉制御用サブフレームの下りチャネル品質を算出し、前記非干渉制御用サブフレーム下り送信電力差分値が選択された場合、前記参照信号の受信電力と前記非干渉制御用サブフレーム下り送信電力差分値とに基づいて、非干渉制御用サブフレームの下りチャネル品質を算出するチャネル情報推定部と、を備えることを特徴とする端末である。
【０００９】
また、本発明は、干渉制御用サブフレームと非干渉制御用サブフレームとを時分割多重する移動体通信システムの干渉制御システムにおいて、非参照信号を含む干渉制御用サブフレーム及び非干渉制御用サブフレームの送信順を示すサブセットパターンを記憶するサブセット管理部と、参照信号の下り送信電力として予め定められた設定値と、干渉制御用サブフレームを送信するための下り送信電力値と、の差分値である干渉制御用サブフレーム下り送信電力差分値を示す情報を、干渉制御用サブフレームに対応付けて記憶し、前記設定値と、非干渉制御用サブフレームを送信するための下り送信電力値と、の差分値である非干渉制御用サブフレーム下り送信電力差分値を示す情報を、非干渉制御用サブフレームに対応付けて記憶する電力差分管理部と、前記干渉制御用サブフレーム下り送信電力差分値及び前記非干渉制御用サブフレーム下り送信電力差分値に基づいて、前記干渉制御用サブフレーム下り送信電力差分値と前記非干渉制御用サブフレーム下り送信電力差分値との差である差分値差分を算出する差分算出部と、前記干渉制御用サブフレーム下り送信電力差分値及び前記差分値差分を示すメッセージ、又は、前記非干渉制御用サブフレーム下り送信電力差分値及び前記差分値差分を示すメッセージを生成する下り送信電力差分メッセージ生成部と、前記サブセットパターンを示すメッセージを生成するパターンメッセージ生成部と、前記設定値により定まる下り送信電力で、前記参照信号を送信する参照信号送信部と、前記干渉制御用サブフレーム下り送信電力差分値及び前記差分値差分を示すメッセージ、又は、前記非干渉制御用サブフレーム下り送信電力差分値及び前記差分値差分を示すメッセージと、前記サブセットパターンを示すメッセージとを、前記サブセットパターンに応じて非参照信号として送信する非参照信号送信部と、を備えることを特徴とする干渉制御装置である。
【００１０】
また、本発明は、干渉制御用サブフレームと非干渉制御用サブフレームとを時分割多重する移動体通信システムの干渉制御システムにおいて、参照信号の下り送信電力として予め定められた設定値と干渉制御用サブフレームを送信するための下り送信電力値との差分値である干渉制御用サブフレーム下り送信電力差分値と、前記設定値と非干渉制御用サブフレームを送信するための下り送信電力値との差分値である非干渉制御用サブフレーム下り送信電力差分値と、前記干渉制御用サブフレーム下り送信電力差分値と前記非干渉制御用サブフレーム下り送信電力差分値との差である差分値差分と、について、前記干渉制御用サブフレーム下り送信電力差分値及び前記差分値差分を示すメッセージ、又は、前記非干渉制御用サブフレーム下り送信電力差分値及び前記差分値差分を示すメッセージと、非参照信号を含む干渉制御用サブフレーム及び非干渉制御用サブフレームの送信順を示すサブセットパターンを示すメッセージと、前記参照信号と、を受信する受信部と、前記干渉制御用サブフレーム下り送信電力差分値及び前記差分値差分を示すメッセージ、又は、前記非干渉制御用サブフレーム下り送信電力差分値及び前記差分値差分を示すメッセージを検知する下り送信電力差分メッセージ検知部と、前記非干渉制御用サブフレーム下り送信電力差分値を前記干渉制御用サブフレーム下り送信電力差分値及び前記差分値差分に基づいて算出し、又は、前記干渉制御用サブフレーム下り送信電力差分値を前記非干渉制御用サブフレーム下り送信電力差分値及び前記差分値差分に基づいて算出する差分補正部と、前記サブセットパターンを示すメッセージを検知するパターンメッセージ検知部と、前記参照信号の受信電力を測定する測定部と、受信されたサブフレームが干渉制御用サブフレーム又は非干渉制御用サブフレームのいずれであるかを、前記サブセットパターンを示すメッセージに基づいて検出し、受信された干渉制御用サブフレームに対して前記干渉制御用サブフレーム下り送信電力差分値を選択し、受信された非干渉制御用サブフレームに対して前記非干渉制御用サブフレーム下り送信電力差分値を選択する、電力差分・サブセット管理部と、前記干渉制御用サブフレーム下り送信電力差分値が選択された場合、前記参照信号の受信電力と前記干渉制御用サブフレーム下り送信電力差分値とに基づいて、干渉制御用サブフレームの下りチャネル品質を算出し、前記非干渉制御用サブフレーム下り送信電力差分値が選択された場合、前記参照信号の受信電力と前記非干渉制御用サブフレーム下り送信電力差分値とに基づいて、非干渉制御用サブフレームの下りチャネル品質を算出するチャネル情報推定部と、を備えることを特徴とする端末である。
【００１１】
また、本発明は、干渉制御用サブフレームと非干渉制御用サブフレームとを時分割多重する移動体通信システムの干渉制御システムにおいて、非参照信号を含む干渉制御用サブフレーム及び非干渉制御用サブフレームの送信順を示すサブセットパターンを記憶するサブセット管理部と、参照信号の下り送信電力として予め定められた設定値と、干渉制御用サブフレームを送信するための下り送信電力値と、の差分値である干渉制御用サブフレーム下り送信電力差分値を示す情報を、干渉制御用サブフレームに対応付けて記憶し、前記設定値と、非干渉制御用サブフレームを送信するための下り送信電力値と、の差分値である非干渉制御用サブフレーム下り送信電力差分値を示す情報を、非干渉制御用サブフレームに対応付けて記憶する電力差分管理部と、前記干渉制御用サブフレーム下り送信電力差分値及び前記非干渉制御用サブフレーム下り送信電力差分値に基づいて、前記干渉制御用サブフレーム下り送信電力差分値及び前記非干渉制御用サブフレーム下り送信電力差分値の加算平均による平均値と、前記干渉制御用サブフレーム下り送信電力差分値又は前記非干渉制御用サブフレーム下り送信電力差分値と前記平均値との差である平均値差分とを算出する、平均・差分算出部と、前記平均値及び前記平均値差分を示すメッセージを生成する下り送信電力差分メッセージ生成部と、前記サブセットパターンを示すメッセージを生成するパターンメッセージ生成部と、前記設定値により定まる下り送信電力で、前記参照信号を送信する参照信号送信部と、前記平均値及び前記平均値差分を示すメッセージと、前記サブセットパターンを示すメッセージとを、前記サブセットパターンに応じて非参照信号として送信する非参照信号送信部と、を備えることを特徴とする干渉制御装置である。
【００１２】
また、本発明は、干渉制御用サブフレームと非干渉制御用サブフレームとを時分割多重する移動体通信システムの干渉制御システムにおいて、参照信号の下り送信電力として予め定められた設定値と干渉制御用サブフレームを送信するための下り送信電力値との差分値である干渉制御用サブフレーム下り送信電力差分値と、前記設定値と非干渉制御用サブフレームを送信するための下り送信電力値との差分値である非干渉制御用サブフレーム下り送信電力差分値と、前記干渉制御用サブフレーム下り送信電力差分値及び前記非干渉制御用サブフレーム下り送信電力差分値の加算平均による平均値と、前記干渉制御用サブフレーム下り送信電力差分値又は前記非干渉制御用サブフレーム下り送信電力差分値と前記平均値との差である平均値差分と、について、前記平均値及び前記平均値差分を示すメッセージと、非参照信号を含む干渉制御用サブフレーム及び非干渉制御用サブフレームの送信順を示すサブセットパターンを示すメッセージと、前記参照信号と、を受信する受信部と、前記平均値及び前記平均値差分を示すメッセージを検知する下り送信電力差分メッセージ検知部と、前記干渉制御用サブフレーム下り送信電力差分値及び前記非干渉制御用サブフレーム下り送信電力差分値を、前記平均値及び前記平均値差分に基づいて算出する平均・差分補正部と、前記サブセットパターンを示すメッセージを検知するパターンメッセージ検知部と、前記参照信号の受信電力を測定する測定部と、受信されたサブフレームが干渉制御用サブフレーム又は非干渉制御用サブフレームのいずれであるかを、前記サブセットパターンを示すメッセージに基づいて検出し、受信された干渉制御用サブフレームに対して前記干渉制御用サブフレーム下り送信電力差分値を選択し、受信された非干渉制御用サブフレームに対して前記非干渉制御用サブフレーム下り送信電力差分値を選択する、電力差分・サブセット管理部と、前記干渉制御用サブフレーム下り送信電力差分値が選択された場合、前記参照信号の受信電力と前記干渉制御用サブフレーム下り送信電力差分値とに基づいて、干渉制御用サブフレームの下りチャネル品質を算出し、前記非干渉制御用サブフレーム下り送信電力差分値が選択された場合、前記参照信号の受信電力と前記非干渉制御用サブフレーム下り送信電力差分値とに基づいて、非干渉制御用サブフレームの下りチャネル品質を算出するチャネル情報推定部と、を備えることを特徴とする端末である。
【００１３】
また、本発明は、干渉制御用サブフレームと非干渉制御用サブフレームとを時分割多重する移動体通信システムの干渉制御システムにおいて、非参照信号を含む干渉制御用サブフレーム及び非干渉制御用サブフレームの送信順を示すサブセットパターンを記憶するサブセット管理部と、参照信号の下り送信電力として予め定められた設定値と干渉制御用サブフレームを送信するための下り送信電力値との差分値である干渉制御用サブフレーム下り送信電力差分値と、前記設定値と非干渉制御用サブフレームを送信するための下り送信電力値との差分値である非干渉制御用サブフレーム下り送信電力差分値と、の組み合わせを識別するための識別情報を、予め定められた条件に基づいて選択する電力差分テーブル管理部と、選択された前記識別情報を示すメッセージを生成する下り送信電力差分メッセージ生成部と、前記サブセットパターンを示すメッセージを生成するパターンメッセージ生成部と、前記設定値により定まる下り送信電力で、前記参照信号を送信する参照信号送信部と、選択された前記識別情報を示すメッセージと、前記サブセットパターンを示すメッセージとを、前記サブセットパターンに応じて非参照信号として送信する非参照信号送信部と、を備えることを特徴とする干渉制御装置である。
【００１４】
また、本発明は、干渉制御用サブフレームと非干渉制御用サブフレームとを時分割多重する移動体通信システムの干渉制御システムにおいて、参照信号の下り送信電力として予め定められた設定値と干渉制御用サブフレームを送信するための下り送信電力値との差分値である干渉制御用サブフレーム下り送信電力差分値と、前記設定値と非干渉制御用サブフレームを送信するための下り送信電力値との差分値である非干渉制御用サブフレーム下り送信電力差分値と、の組み合わせを識別するための識別情報について、選択された前記識別情報を示すメッセージと、非参照信号を含む干渉制御用サブフレーム及び非干渉制御用サブフレームの送信順を示すサブセットパターンを示すメッセージと、前記参照信号と、を受信する受信部と、選択された前記識別情報を示すメッセージを検知する下り送信電力差分メッセージ検知部と、前記サブセットパターンを示すメッセージを検知するパターンメッセージ検知部と、前記参照信号の受信電力を測定する測定部と、受信されたサブフレームが干渉制御用サブフレーム又は非干渉制御用サブフレームのいずれであるかを、前記サブセットパターンを示すメッセージに基づいて検出し、受信された干渉制御用サブフレームに対して、選択された前記識別情報に対応付けられた前記干渉制御用サブフレーム下り送信電力差分値を選択し、受信された非干渉制御用サブフレームに対して、選択された前記識別情報に対応付けられた前記非干渉制御用サブフレーム下り送信電力差分値を選択する、電力差分・識別情報テーブル管理部と、前記干渉制御用サブフレーム下り送信電力差分値が選択された場合、前記参照信号の受信電力と前記干渉制御用サブフレーム下り送信電力差分値とに基づいて、干渉制御用サブフレームの下りチャネル品質を算出し、前記非干渉制御用サブフレーム下り送信電力差分値が選択された場合、前記参照信号の受信電力と前記非干渉制御用サブフレーム下り送信電力差分値とに基づいて、非干渉制御用サブフレームの下りチャネル品質を算出するチャネル情報推定部と、を備えることを特徴とする端末である。
【００１５】
また、本発明は、干渉制御用サブフレームと非干渉制御用サブフレームとを時分割多重する移動体通信システムの干渉制御システムにおいて、干渉制御装置及び端末を備えることを特徴とする干渉制御システムである。
【発明の効果】
【００１６】
本発明によれば、干渉制御用サブフレームと非干渉制御用サブフレームとを時分割多重する移動体通信システムの干渉制御システムにおいて、非参照信号送信部は、干渉制御用サブフレーム下り送信電力差分値を示すメッセージ及び非干渉制御用サブフレーム下り送信電力差分値を示すメッセージと、サブセットパターンを示すメッセージとを送信する。これにより、干渉制御装置は、下りリンク通信容量を向上させることができる。
【図面の簡単な説明】
【００１７】
【図１】本発明の第１実施形態における、干渉制御システムの第１構成例を表す図である。
【図２】本発明の第１実施形態における、サブフレームサブセットと下り送信電力の差分値との対応を示す管理テーブルの例である。
【図３】本発明の第２実施形態における、干渉制御システムの第２構成例を表す図である。
【図４】本発明の第３実施形態における、干渉制御システムの第３構成例を表す図である。
【図５】本発明の第４実施形態における、干渉制御システムの第４構成例を表す図である。
【図６】本発明の第４実施形態における、サブフレームサブセット間の下り送信電力の差分値の組み合わせと、識別情報との対応を示す管理テーブルの例である。
【発明を実施するための形態】
【００１８】
［第１実施形態］
本発明の第１実施形態について図面を参照して詳細に説明する。干渉制御用サブフレームと、非干渉制御用サブフレームとを時分割多重（ＴＤＭ）する移動体通信システムにおいて、干渉制御システムは、マクロ基地局が送信する干渉制御用サブフレームの送信電力を低減させることにより、下りリンク通信容量（スループット）を向上させる。また、干渉制御システムは、上りリンク送信電力を適切に定めることにより、安定した移動体通信システムを提供する。
【００１９】
以下、サブフレームサブセットには、一例として、干渉制御用サブフレームＡと、非干渉制御用サブフレームＢとがあるものとして説明を続ける。なお、サブフレームサブセットは、これら二つのサブセットに限られなくてもよい。
【００２０】
図１には、干渉制御システムの第１構成例が表されている。干渉制御システムは、干渉制御装置１００ａと、端末２００ａとを備える。干渉制御装置１００ａは、例えば、マクロ基地局に備えられる。
【００２１】
まず、干渉制御装置１００ａの構成を説明する。
干渉制御装置１００ａは、サブセット管理部１１０ａと、電力管理部１２０ａと、下り送信電力メッセージ生成部１３０と、パターンメッセージ生成部１４０と、非参照信号変調部１５１と、参照信号変調部１５２と、Ｄ／Ａ変換部１６０と、増幅部１７０と、電力差分管理部１９０と、下り送信電力差分メッセージ生成部１９５ａと、電力差分調整部１９６とを備える。
【００２２】
サブセット管理部１１０ａは、サブフレームサブセットの送信順（以下、「サブセットパターン」という）を示す情報を予め記憶し、サブセットパターンを示す情報を、パターンメッセージ生成部１４０及び電力差分管理部１９０に出力する。
【００２３】
電力管理部１２０ａは、セル参照信号（Ｃｅｌｌ Ｒｅｆｅｒｅｎｃｅ Ｓｉｇｎａｌ：ＣＲＳ）の下り送信電力の設定値として予め定められた下り送信電力設定値Ｔを、予め記憶する。電力管理部１２０ａは、下り送信電力設定値Ｔを示す情報を、下り送信電力メッセージ生成部１３０及び増幅部１７０に出力する。
【００２４】
下り送信電力メッセージ生成部１３０には、下り送信電力設定値Ｔを示す情報が、増幅部１７０が次回増幅するサブフレームサブセット毎に、電力管理部１２０ａから入力される。
【００２５】
下り送信電力メッセージ生成部１３０は、下り送信電力設定値Ｔを示す情報が入力された場合、下り送信電力設定値Ｔを示す情報を、予め定められた方法により制御メッセージに変換し、変換した制御メッセージを非参照信号変調部１５１に出力する。
【００２６】
パターンメッセージ生成部１４０には、サブセットパターンを示す情報が、サブセット管理部１１０ａから入力される。パターンメッセージ生成部１４０は、サブセットパターンを示す情報を、予め定められた方法により制御メッセージに変換し、変換した制御メッセージを非参照信号変調部１５１に出力する。
【００２７】
電力差分管理部１９０には、サブセットパターンを示す情報が、サブセット管理部１１０ａから入力される。また、電力差分管理部１９０は、干渉制御用サブフレームＡ及び非干渉制御用サブフレームＢの下り送信電力値と、セル参照信号の下り送信電力設定値Ｔとの差分値（以下、「下り送信電力の差分値」という）Δを、サブフレームサブセット毎に管理テーブルとして予め記憶する。
【００２８】
図２には、サブフレームサブセットと下り送信電力の差分値との対応を示す管理テーブルの例が示されている。ここで、干渉制御用サブフレームＡ、及び非干渉制御用サブフレームＢは、それぞれ下り非参照信号を含むサブフレームである。また、以下では、一例として、干渉制御用サブフレームＡには、下り送信電力の差分値Δ（Ａ）（＝干渉制御用サブフレーム下り送信電力差分値）を示す情報が、管理テーブルにより対応付けられているものとする。また、非干渉制御用サブフレームＢには、下り送信電力の差分値Δ（Ｂ）（＝非干渉制御用サブフレーム下り送信電力差分値）を示す情報が、管理テーブルにより対応付けられているものとする。
【００２９】
電力差分管理部１９０は、増幅部１７０が次回増幅するサブフレームサブセットが、干渉制御用サブフレームＡ又は非干渉制御用サブフレームＢのいずれなのかを、サブセットパターンを示す情報に基づいて、繰り返し検出する。
【００３０】
電力差分管理部１９０は、増幅部１７０が次回増幅するサブフレームサブセットが、干渉制御用サブフレームＡである場合、干渉制御用サブフレームＡに対応する下り送信電力の差分値Δ（Ａ）を示す情報を、管理テーブル（図２を参照）に基づいて、下り送信電力差分メッセージ生成部１９５ａ及び電力差分調整部１９６に出力する。
【００３１】
一方、電力差分管理部１９０は、増幅部１７０が次回増幅するサブフレームサブセットが非干渉制御用サブフレームＢである場合、非干渉制御用サブフレームＢに対応する下り送信電力の差分値Δ（Ｂ）を示す情報を、管理テーブル（図２を参照）に基づいて、下り送信電力差分メッセージ生成部１９５ａ及び電力差分調整部１９６に出力する。
【００３２】
下り送信電力差分メッセージ生成部１９５ａには、下り送信電力の差分値Δ（Ａ）を示す情報、又は、下り送信電力の差分値Δ（Ｂ）を示す情報が、増幅部１７０が次回増幅するサブフレームサブセット毎に、電力差分管理部１９０から次々入力される。
【００３３】
下り送信電力差分メッセージ生成部１９５ａは、下り送信電力の差分値Δ（Ａ）を示す情報が入力された場合、下り送信電力の差分値Δ（Ａ）を示す情報を、予め定められた方法により制御メッセージに変換し、変換した制御メッセージを非参照信号変調部１５１に出力する。一方、下り送信電力差分メッセージ生成部１９５ａは、下り送信電力の差分値Δ（Ｂ）を示す情報が入力された場合、下り送信電力の差分値Δ（Ｂ）を示す情報を、予め定められた方法により制御メッセージに変換し、変換した制御メッセージを非参照信号変調部１５１に出力する。
【００３４】
したがって、下り送信電力差分メッセージ生成部１９５ａは、結果として、下り送信電力の差分値Δ（Ａ）を示す情報と、下り送信電力の差分値Δ（Ｂ）を示す情報との両方を、予め定められた方法により制御メッセージに変換し、変換した制御メッセージを非参照信号変調部１５１に出力する。
【００３５】
非参照信号変調部１５１には、各種の制御メッセージが入力される。例えば、非参照信号変調部１５１には、下り送信電力の差分値Δ（Ａ）を示す情報を変換した制御メッセージ、又は、下り送信電力の差分値Δ（Ｂ）を示す情報を変換した制御メッセージが、増幅部１７０が次回増幅するサブフレームサブセット毎に、下り送信電力差分メッセージ生成部１９５ａから次々入力される。
【００３６】
したがって、非参照信号変調部１５１には、結果として、下り送信電力の差分値Δ（Ａ）を示す情報を変換した制御メッセージ、及び、下り送信電力の差分値Δ（Ｂ）を示す情報を変換した制御メッセージの両方が、下り送信電力差分メッセージ生成部１９５ａから入力される。また、例えば、非参照信号変調部１５１には、サブセットパターンを示す情報を変換した制御メッセージが、パターンメッセージ生成部１４０から入力される。また、例えば、非参照信号変調部１５１には、下り送信電力Ｔを示す情報が変換された制御メッセージが、下り送信電力メッセージ生成部１３０から入力される。
【００３７】
非参照信号変調部１５１は、入力された各制御メッセージをデジタル無線信号に変調し、変調したデジタル無線信号を、電力差分調整部１９６を介してＤ／Ａ変換部１６０に出力する。
【００３８】
参照信号変調部１５２は、セル参照信号をデジタル無線信号に変調し、変調したデジタル無線信号を、電力差分調整部１９６を介してＤ／Ａ変換部１６０に出力する。
【００３９】
電力差分調整部１９６は、下り送信電力設定値Ｔにより定まる下り送信電力により、増幅部１７０からセル参照信号が送信されるように、送信電力を調整する。また、電力差分調整部１９６は、下り送信電力の差分値Δ（Ａ）を示す情報が、電力差分管理部１９０から入力された場合、「下り送信電力設定値Ｔ−差分値Δ（Ａ）」により定まる下り送信電力により、干渉制御用サブフレームＡが増幅部１７０から送信されるように、下り送信電力を調整する。また、電力差分調整部１９６は、下り送信電力の差分値Δ（Ｂ）を示す情報が、電力差分管理部１９０から入力された場合、「下り送信電力設定値Ｔ−差分値Δ（Ｂ）」により定まる下り送信電力により、干渉制御用サブフレームＢが増幅部１７０から送信されるように、下り送信電力を調整する。
【００４０】
Ｄ／Ａ変換部１６０には、変調したデジタル信号が、非参照信号変調部１５１及び参照信号変調部１５２から電力差分調整部１９６を介して入力される。Ｄ／Ａ変換部１６０は、変調したデジタル信号をアナログ信号に変換し、変換したアナログ信号を増幅部１７０に出力する。
【００４１】
増幅部１７０には、変換したアナログ信号がＤ／Ａ変換部１６０から入力される。また、増幅部１７０には、下り送信電力設定値Ｔを示す情報が、増幅部１７０が次回増幅するサブフレームサブセット毎に、電力管理部１２０ａから入力される。
【００４２】
ここで、増幅部１７０は、下り送信電力の差分値Δ（Ａ）を示す情報が電力差分調整部１９６に入力された場合、その結果として、下り送信電力が「下り送信電力設定値Ｔ−差分値Δ（Ａ）」となるようアナログ信号を増幅（出力調整）し、増幅したアナログ信号を、端末２００ａに自装置のアンテナを介して無線送信する。一方、増幅部１７０は、下り送信電力の差分値Δ（Ｂ）を示す情報が電力差分調整部１９６に入力された場合、その結果として、下り送信電力が「下り送信電力設定値Ｔ−差分値Δ（Ｂ）」となるようアナログ信号を増幅（出力調整）し、増幅したアナログ信号を、端末２００ａに自装置のアンテナを介して無線送信する。
【００４３】
次に、端末２００ａの構成を説明する。
端末２００ａは、増幅部２１０と、Ａ／Ｄ変換部２２０と、非参照信号復調部２３１と、参照信号復調部２３２と、下り送信電力メッセージ検知部２４０ａと、パターンメッセージ検知部２５０ａと、電力差分・サブセット管理部２７１ａと、チャネル情報推定部２８１ａと、通知部２９１ａと、下り送信電力差分メッセージ検知部２９５ａとを備える。
【００４４】
増幅部２１０は、干渉制御装置１００ａの増幅部１７０を介して無線送信されたアナログ信号を、自端末のアンテナを介して受信し、受信したアナログ信号に含まれている雑音を低減してから、Ａ／Ｄ変換部２２０に転送する。
【００４５】
Ａ／Ｄ変換部２２０は、雑音が低減されたアナログ信号をデジタル信号に変換し、変換したデジタル信号を非参照信号復調部２３１及び参照信号復調部２３２に出力する。
【００４６】
非参照信号復調部２３１は、Ａ／Ｄ変換部２２０が変換したデジタル信号のうち、下り非参照信号を論理情報に復調し、復調した論理情報を、下り送信電力メッセージ検知部２４０ａ、パターンメッセージ検知部２５０ａ、及び下り送信電力差分メッセージ検知部２９５ａに出力する。なお、非参照信号復調部２３１は、復調した論理情報を他の各種の検知部（不図示）に出力してもよい。
【００４７】
参照信号復調部２３２は、Ａ／Ｄ変換部２２０が変換したデジタル信号のうち、セル参照信号を復調し、復調した論理情報をチャネル情報推定部２８１ａに出力する。また、参照信号復調部２３２（測定部）は、セル参照信号の受信電力を測定し、セル参照信号の受信電力Ｒを示す情報を、チャネル情報推定部２８１ａに出力する。
【００４８】
下り送信電力メッセージ検知部２４０ａは、入力された論理情報から制御メッセージを抽出することにより、下り送信電力設定値Ｔを示す情報を検知する。下り送信電力メッセージ検知部２４０ａは、下り送信電力設定値Ｔを示す情報を、電力差分・サブセット管理部２７１ａに出力してもよい。
【００４９】
パターンメッセージ検知部２５０ａは、入力された論理情報から制御メッセージを抽出することにより、サブセットパターンを示す情報を検知する。また、パターンメッセージ検知部２５０ａは、検知したサブセットパターンを示す情報、すなわち、受信したサブフレームが干渉制御用サブフレームＡ又は非干渉制御用サブフレームＢのいずれであるかを示す情報を、電力差分・サブセット管理部２７１ａに出力する。
【００５０】
下り送信電力差分メッセージ検知部２９５ａは、入力された論理情報から制御メッセージを抽出することにより、抽出した制御メッセージが下り送信電力の差分値Δ（Ａ）（＝干渉制御用サブフレーム下り送信電力差分値）、又は、下り送信電力の差分値Δ（Ｂ）（＝非干渉制御用サブフレーム下り送信電力差分値）のいずれを示しているかを検知する。
【００５１】
下り送信電力差分メッセージ検知部２９５ａは、抽出した制御メッセージが下り送信電力の差分値Δ（Ａ）を示す場合、下り送信電力の差分値Δ（Ａ）を示す情報を、電力差分・サブセット管理部２７１ａに出力する。一方、下り送信電力差分メッセージ検知部２９５ａは、抽出した制御メッセージが下り送信電力の差分値Δ（Ｂ）を示す場合、下り送信電力の差分値Δ（Ｂ）を示す情報を、電力差分・サブセット管理部２７１ａに出力する。
【００５２】
したがって、下り送信電力差分メッセージ検知部２９５ａは、結果として、下り送信電力の差分値Δ（Ａ）を示す情報、及び、下り送信電力の差分値Δ（Ｂ）を示す情報の両方を、電力差分・サブセット管理部２７１ａに出力する。
【００５３】
電力差分・サブセット管理部２７１ａには、下り送信電力の差分値Δ（Ａ）を示す情報又は、下り送信電力の差分値Δ（Ｂ）を示す情報が、サブフレームサブセット毎に下り送信電力差分メッセージ検知部２９５ａから次々入力される。したがって、電力差分・サブセット管理部２７１ａには、結果として、下り送信電力の差分値Δ（Ａ）を示す情報、及び、下り送信電力の差分値Δ（Ｂ）を示す情報の両方が、下り送信電力差分メッセージ検知部２９５ａから入力される。
【００５４】
電力差分・サブセット管理部２７１ａには、サブセットパターンを示す情報が、パターンメッセージ検知部２５０ａから入力される。電力差分・サブセット管理部２７１ａは、チャネル情報Ｈを算出する対象として、直近に受信されたサブフレームサブセットを、サブセットパターンを示す情報に基づいて検出する。
【００５５】
具体的には、電力差分・サブセット管理部２７１ａは、受信されたサブフレームサブセットが干渉制御用サブフレームＡであることを、サブセットパターンを示す情報が示している場合、チャネル情報Ｈを算出する対象とするサブフレームサブセットとして、干渉制御用サブフレームＡを選択する。一方、電力差分・サブセット管理部２７１ａは、受信されたサブフレームサブセットが非干渉制御用サブフレームＢであることを、サブセットパターンを示す情報が示している場合、チャネル情報Ｈを算出する対象とするサブフレームサブセットとして、非干渉制御用サブフレームＢを選択する。
【００５６】
ここで、チャネル情報Ｈとは、チャネル品質を示す情報である。具体的には、チャネル情報Ｈは、セル参照信号の受信電力Ｒから、下り送信電力設定値の差分値Δが減算された値である。例えば、チャネル品質としての受信信号対干渉雑音比（受信ＳＩＮＲ）が減少した場合、セル参照信号の受信電力Ｒが減少するので、チャネル情報Ｈ（＝セル参照信号の受信電力Ｒ−下り送信電力の差分値Δ）は、その値が減少する。
【００５７】
また、電力差分・サブセット管理部２７１ａは、チャネル情報Ｈを算出する対象とするサブフレームサブセットの下り送信電力の差分値Δを示す情報を、管理テーブル（図２を参照）に基づいて検出する。
【００５８】
ここで、電力差分・サブセット管理部２７１ａは、チャネル情報Ｈを算出する対象とするサブフレームサブセットが、干渉制御用サブフレームＡである場合、下り送信電力の差分値Δ（Ａ）を示す情報を、管理テーブル（図２を参照）に基づいて選択し、チャネル情報推定部２８１ａに出力する。一方、電力差分・サブセット管理部２７１ａは、チャネル情報Ｈを算出する対象とするサブフレームサブセットが、非干渉制御用サブフレームＢである場合、下り送信電力の差分値Δ（Ｂ）を示す情報を、管理テーブル（図２を参照）に基づいて選択し、チャネル情報推定部２８１ａに出力する。
【００５９】
チャネル情報推定部２８１ａには、下り送信電力の差分値Δ（Ａ）を示す情報、又は、下り送信電力の差分値Δ（Ｂ）を示す情報が、電力差分・サブセット管理部２７１ａから次々入力される。また、チャネル情報推定部２８１ａには、セル参照信号の受信電力Ｒを示す測定情報が、参照信号復調部２３２から入力される。
【００６０】
チャネル情報推定部２８１ａは、下り送信電力の差分値Δ（Ａ）を示す情報が入力された場合、セル参照信号の受信電力Ｒから、下り送信電力の差分値Δ（Ａ）を減算することにより、チャネル情報Ｈ(Ａ)（＝セル参照信号の受信電力値Ｒ−下り送信電力の差分値Δ(Ａ)）を算出（推定）し、チャネル情報Ｈ(Ａ)を示す情報を、上り送信電力算出部２９０に出力する。
【００６１】
一方、チャネル情報推定部２８１ａは、下り送信電力の差分値Δ（Ｂ）を示す情報が入力された場合、セル参照信号の受信電力Ｒから、下り送信電力の差分値Δ（Ｂ）を減算することにより、チャネル情報Ｈ(Ｂ) （＝セル参照信号の受信電力Ｒ−下り送信電力の差分値Δ(Ｂ)）を算出（推定）し、チャネル情報Ｈ(Ｂ)を示す情報を、通知部２９１ａに出力する。
【００６２】
通知部２９１ａには、チャネル情報Ｈ(Ａ)を示す情報、又は、チャネル情報Ｈ(Ｂ)を示す情報が、チャネル情報推定部２８１ａから次々入力される。したがって、通知部２９１ａには、結果として、チャネル情報Ｈ(Ａ)を示す情報、及び、チャネル情報Ｈ(Ｂ)を示す情報の両方が、チャネル情報推定部２８１ａから入力される。
【００６３】
通知部２９１ａは、チャネル情報Ｈ(Ａ)を示す情報が入力された場合、チャネル情報Ｈ(Ａ)に基づいて、干渉制御用サブフレームＡの受信品質を示す情報（例えば、受信ＳＩＮＲ）を、マクロ基地局に通知する。一方、通知部２９１ａは、チャネル情報Ｈ(Ｂ)を示す情報が入力された場合、チャネル情報Ｈ(Ｂ)に基づいて、非干渉制御用サブフレームＢの受信品質を示す情報を、マクロ基地局（不図示）に通知する。
【００６４】
マクロ基地局（不図示）は、干渉制御用サブフレームＡの受信品質を示す情報（例えば、受信ＳＩＮＲ）、及び、非干渉制御用サブフレームＢの受信品質を示す情報に基づいて、変調符号化方法（ＭＣＳ）を適切に選択する。端末２００ａは、選択された変調符号化方法により、所定データをマクロ基地局に上りリンクを介して無線送信する。これにより、干渉制御装置１００ａは、マクロ基地局からの送信電力を低減させ、下りリンク通信容量（スループット）を向上させることができる。
【００６５】
以上のように、干渉制御用サブフレームと非干渉制御用サブフレームとを時分割多重する移動体通信システムの干渉制御システムにおいて、干渉制御装置１００ａは、非参照信号を含む干渉制御用サブフレームＡ及び非干渉制御用サブフレームＢの送信順を示すサブセットパターンを記憶するサブセット管理部１１０ａと、セル参照信号の下り送信電力として予め定められた下り送信電力設定値Ｔと、干渉制御用サブフレームＡを送信するための下り送信電力値と、の差分値Δ（Ａ）である干渉制御用サブフレーム下り送信電力差分値を示す情報を、干渉制御用サブフレームＡに対応付けて記憶し、下り送信電力設定値Ｔと、非干渉制御用サブフレームを送信するための下り送信電力値と、の差分値Δ（Ｂ）である非干渉制御用サブフレーム下り送信電力差分値を示す情報を、非干渉制御用サブフレームＢに対応付けて記憶する（図２を参照）電力差分管理部１９０と、前記干渉制御用サブフレーム下り送信電力差分値（差分値Δ（Ａ））を示すメッセージ、及び、前記非干渉制御用サブフレーム下り送信電力差分値（差分値Δ（Ｂ））を示すメッセージを生成する下り送信電力差分メッセージ生成部１９５ａと、前記サブセットパターンを示すメッセージを生成するパターンメッセージ生成部１４０と、下り送信電力設定値Ｔにより定まる下り送信電力で、セル参照信号を送信する参照信号変調部１５２、電力差分調整部１９６、Ｄ／Ａ変換部１６０及び増幅部１７０と、前記干渉制御用サブフレーム下り送信電力差分値（差分値Δ（Ａ））を示すメッセージ及び前記非干渉制御用サブフレーム下り送信電力差分値（差分値Δ（Ｂ））を示すメッセージと、前記サブセットパターン（例えば、ＡＡＢＡＢ…）を示すメッセージとを、前記サブセットパターンに応じて非参照信号として送信する非参照信号変調部１５１、電力差分調整部１９６、Ｄ／Ａ変換部１６０及び増幅部１７０と、を備える。
【００６６】
また、干渉制御用サブフレームと非干渉制御用サブフレームとを時分割多重する移動体通信システムの干渉制御システムにおいて、端末２００ａは、セル参照信号の下り送信電力として予め定められた下り送信電力設定値Ｔと干渉制御用サブフレームＡを送信するための下り送信電力値との差分値である干渉制御用サブフレーム下り送信電力差分値（差分値Δ（Ａ））と、下り送信電力設定値Ｔと非干渉制御用サブフレームＢを送信するための下り送信電力値との差分値である非干渉制御用サブフレーム下り送信電力差分値（差分値Δ（Ｂ））と、について、前記干渉制御用サブフレーム下り送信電力差分値（差分値Δ（Ａ））を示すメッセージ及び前記非干渉制御用サブフレーム下り送信電力差分値（差分値Δ（Ｂ））を示すメッセージと、非参照信号を含む干渉制御用サブフレームＡ及び非干渉制御用サブフレームＢの送信順を示すサブセットパターンを示すメッセージと、セル参照信号と、を受信する増幅部２１０及びＡ／Ｄ変換部２２０と、前記干渉制御用サブフレーム下り送信電力差分値を示すメッセージ、及び、前記非干渉制御用サブフレーム下り送信電力差分値を示すメッセージを検知する非参照信号復調部２３１及び下り送信電力差分メッセージ検知部２９５ａと、前記サブセットパターンを示すメッセージを検知する非参照信号復調部２３１及びパターンメッセージ検知部２５０ａと、セル参照信号の受信電力を測定する参照信号復調部２３２（測定部）と、受信されたサブフレームが干渉制御用サブフレームＡ又は非干渉制御用サブフレームＢのいずれであるかを、前記サブセットパターンを示すメッセージに基づいて検出し、受信された干渉制御用サブフレームＡに対して前記干渉制御用サブフレーム下り送信電力差分値（差分値Δ（Ａ））を選択し、受信された非干渉制御用サブフレームＢに対して前記非干渉制御用サブフレーム下り送信電力差分値（差分値Δ（Ｂ））を選択する、電力差分・サブセット管理部２７１ａと、前記干渉制御用サブフレーム下り送信電力差分値が選択された場合、セル参照信号の受信電力Ｒと前記干渉制御用サブフレーム下り送信電力差分値（差分値Δ（Ａ））とに基づいて、干渉制御用サブフレームＡの下りチャネル品質Ｈ（Ａ）を算出し、前記非干渉制御用サブフレーム下り送信電力差分値が選択された場合、セル参照信号の受信電力Ｒと前記非干渉制御用サブフレーム下り送信電力差分値（差分値Δ（Ｂ））とに基づいて、非干渉制御用サブフレームＢの下りチャネル品質Ｈ（Ｂ）を算出するチャネル情報推定部２８１ａと、を備える
【００６７】
これらの構成により、非参照信号変調部１５１は、干渉制御用サブフレーム下り送信電力差分値（差分値Δ（Ａ））を示すメッセージ及び非干渉制御用サブフレーム下り送信電力差分値（差分値Δ（Ｂ））を示すメッセージと、サブセットパターンを示すメッセージとを送信する。また、チャネル情報推定部２８１ａは、干渉制御用サブフレームＡの下りチャネル品質Ｈ（Ａ）、及び、非干渉制御用サブフレームＢの下りチャネル品質Ｈ（Ｂ）を算出する。これにより、干渉制御装置は、下りリンク通信容量（スループット）を向上させることができる。また、干渉制御装置は、安定した移動体通信システムを提供することができる。
【００６８】
［第２実施形態］
第２実施形態では、下り送信電力の差分値Δ（Ａ）と、下り送信電力の差分値Δ（Ｂ）との差に基づいてチャネル情報Ｈが算出される点が、第１実施形態と相違する。以下では、第１実施形態との相違点についてのみ説明する。
【００６９】
図３には、干渉制御システムの第２構成例が表されている。干渉制御システムは、干渉制御装置１００ｂと、端末２００ｂとを備える。干渉制御装置１００ｂは、例えば、マクロ基地局に備えられる。
【００７０】
まず、干渉制御装置１００ｂの構成を説明する。
干渉制御装置１００ｂは、サブセット管理部１１０ｂと、電力管理部１２０ｂと、下り送信電力メッセージ生成部１３０と、パターンメッセージ生成部１４０と、非参照信号変調部１５１と、参照信号変調部１５２と、Ｄ／Ａ変換部１６０と、増幅部１７０と、電力差分管理部１９０と、差分算出部１９１と、下り送信電力差分メッセージ生成部１９５ｂと、電力差分調整部１９６とを備える。
【００７１】
ここで、サブセット管理部１１０ｂは、第１実施形態における、サブセット管理部１１０ａに相当する。また、電力管理部１２０ｂは、第１実施形態における、電力管理部１２０ａに相当する。また、下り送信電力差分メッセージ生成部１９５ｂは、第１実施形態における、下り送信電力差分メッセージ生成部１９５ａに相当する。
【００７２】
差分算出部１９１には、干渉制御用サブフレームＡに対応する下り送信電力の差分値Δ（Ａ）を示す情報、又は、非干渉制御用サブフレームＢに対応する下り送信電力の差分値Δ（Ｂ）を示す情報が、増幅部１７０が次回増幅するサブフレームサブセット毎に、電力差分管理部１９０から次々入力される。
【００７３】
差分算出部１９１は、下り送信電力の差分値Δ（Ａ）を示す情報、及び、下り送信電力の差分値Δ（Ｂ）を示す情報に基づいて、差分値Δ（Ａ）と差分値Δ（Ｂ）との差分である差分値差分Δ（ＡＢ）（＝下り送信電力の差分値Δ（Ａ）−下り送信電力の差分値Δ（Ｂ））を算出する。
【００７４】
差分算出部１９１は、下り送信電力の差分値Δ（Ａ）及び差分値差分Δ（ＡＢ）を示す情報、又は、下り送信電力の差分値Δ（Ｂ）及び差分値差分Δ（ＡＢ）を示す情報を、下り送信電力差分メッセージ生成部１９５ｂに出力する。
【００７５】
下り送信電力差分メッセージ生成部１９５ｂには、下り送信電力の差分値Δ（Ａ）及び差分値差分Δ（ＡＢ）を示す情報、又は、下り送信電力の差分値Δ（Ｂ）及び差分値差分Δ（ＡＢ）を示す情報が、差分算出部１９１から入力される。
【００７６】
下り送信電力差分メッセージ生成部１９５ｂは、下り送信電力の差分値Δ（Ａ）及び差分値差分Δ（ＡＢ）を示す情報が入力された場合、下り送信電力の差分値Δ（Ａ）及び差分値差分Δ（ＡＢ）を示す情報を、予め定められた方法により制御メッセージに変換し、変換した制御メッセージを非参照信号変調部１５１に出力する。
【００７７】
一方、下り送信電力差分メッセージ生成部１９５ｂは、下り送信電力の差分値Δ（Ｂ）及び差分値差分Δ（ＡＢ）を示す情報が入力された場合、下り送信電力の差分値Δ（Ｂ）及び差分値差分Δ（ＡＢ）を示す情報を、予め定められた方法により制御メッセージに変換し、変換した制御メッセージを非参照信号変調部１５１に出力する。
【００７８】
次に、端末２００ｂの構成を説明する。
端末２００ｂは、増幅部２１０と、Ａ／Ｄ変換部２２０と、非参照信号復調部２３１と、参照信号復調部２３２と、下り送信電力メッセージ検知部２４０ｂと、パターンメッセージ検知部２５０ｂと、電力差分・サブセット管理部２７１ｂと、チャネル情報推定部２８１ｂと、通知部２９１ｂと、下り送信電力差分メッセージ検知部２９５ｂと、差分補正部２９６とを備える。
【００７９】
ここで、下り送信電力メッセージ検知部２４０ｂは、第１実施形態における、下り送信電力メッセージ検知部２４０ａに相当する。また、パターンメッセージ検知部２５０ｂは、第１実施形態における、パターンメッセージ検知部２５０ａに相当する。また、電力差分・サブセット管理部２７１ｂは、第１実施形態における、電力差分・サブセット管理部２７１ａに相当する。また、チャネル情報推定部２８１ｂは、第１実施形態における、チャネル情報推定部２８１ａに相当する。また、通知部２９１ｂは、第１実施形態における、通知部２９１ａに相当する。
【００８０】
下り送信電力差分メッセージ検知部２９５ｂは、入力された論理情報から制御メッセージを抽出することにより、抽出した制御メッセージが下り送信電力の差分値Δ（Ａ）及び差分値差分Δ（ＡＢ）、又は、下り送信電力の差分値Δ（Ｂ）及び差分値差分Δ（ＡＢ）のいずれを示しているかを検知する。
【００８１】
下り送信電力差分メッセージ検知部２９５ｂは、抽出した制御メッセージが下り送信電力の差分値Δ（Ａ）及び差分値差分Δ（ＡＢ）を示す場合、下り送信電力の差分値Δ（Ａ）及び差分値差分Δ（ＡＢ）を示す情報を、差分補正部２９６に出力する。一方、下り送信電力差分メッセージ検知部２９５ｂは、抽出した制御メッセージが下り送信電力の差分値Δ（Ｂ）及び差分値差分Δ（ＡＢ）を示す場合、下り送信電力の差分値Δ（Ｂ）及び差分値差分Δ（ＡＢ）を示す情報を、差分補正部２９６に出力する。
【００８２】
差分補正部２９６は、下り送信電力の差分値Δ（Ａ）及び差分値差分Δ（ＡＢ）を示す情報が入力された場合、下り送信電力の差分値Δ（Ｂ）（＝下り送信電力の差分値Δ（Ａ）−差分値差分Δ（ＡＢ））を算出する。一方、差分補正部２９６は、下り送信電力の差分値Δ（Ｂ）及び差分値差分Δ（ＡＢ）を示す情報が入力された場合、下り送信電力の差分値Δ（Ａ）（＝下り送信電力の差分値Δ（Ｂ）＋差分値差分Δ（ＡＢ））を算出する。
【００８３】
差分補正部２９６は、算出した下り送信電力の差分値Δ（Ａ）を示す情報を、電力差分・サブセット管理部２７１ｂに出力する。また、差分補正部２９６は、算出した下り送信電力の差分値Δ（Ｂ）を示す情報を、電力差分・サブセット管理部２７１ｂに出力する。つまり、差分補正部２９６は、下り送信電力の差分値Δ（Ａ）を示す情報、及び、下り送信電力の差分値Δ（Ｂ）を示す情報の両方を、電力差分・サブセット管理部２７１ｂに出力する。
【００８４】
以上のように、干渉制御用サブフレームと非干渉制御用サブフレームとを時分割多重する移動体通信システムの干渉制御システムにおいて、干渉制御装置１００ｂは、非参照信号を含む干渉制御用サブフレームＡ及び非干渉制御用サブフレームＢの送信順を示すサブセットパターンを記憶するサブセット管理部１１０ｂと、セル参照信号の下り送信電力として予め定められた下り送信電力設定値Ｔと、干渉制御用サブフレームＡを送信するための下り送信電力値と、の差分値Δ（Ａ）である干渉制御用サブフレーム下り送信電力差分値を示す情報を、干渉制御用サブフレームＡに対応付けて記憶し、下り送信電力設定値Ｔと、非干渉制御用サブフレームＢを送信するための下り送信電力値と、の差分値Δ（Ｂ）である非干渉制御用サブフレーム下り送信電力差分値を示す情報を、非干渉制御用サブフレームＢに対応付けて記憶する（図２を参照）電力差分管理部１９０と、前記干渉制御用サブフレーム下り送信電力差分値（差分値Δ（Ａ））及び前記非干渉制御用サブフレーム下り送信電力差分値（差分値Δ（Ｂ））に基づいて、前記干渉制御用サブフレーム下り送信電力差分値と前記非干渉制御用サブフレーム下り送信電力差分値との差である差分値差分Δ（ＡＢ）を算出する差分算出部１９１と、前記干渉制御用サブフレーム下り送信電力差分値及び前記差分値差分を示すメッセージ、又は、前記非干渉制御用サブフレーム下り送信電力差分値及び前記差分値差分を示すメッセージを生成する下り送信電力差分メッセージ生成部１９５ｂと、前記サブセットパターンを示すメッセージを生成するパターンメッセージ生成部１４０と、下り送信電力設定値Ｔにより定まる下り送信電力で、セル参照信号を送信する参照信号変調部１５２、電力差分調整部１９６、Ｄ／Ａ変換部１６０及び増幅部１７０と、前記干渉制御用サブフレーム下り送信電力差分値（差分値Δ（Ａ））及び前記差分値差分Δ（ＡＢ）を示すメッセージ、又は、前記非干渉制御用サブフレーム下り送信電力差分値（差分値Δ（Ｂ））及び前記差分値差分Δ（ＡＢ）を示すメッセージと、前記サブセットパターンを示すメッセージとを、前記サブセットパターンに応じて非参照信号として送信する非参照信号変調部１５１、電力差分調整部１９６、Ｄ／Ａ変換部１６０及び増幅部１７０と、を備える。
【００８５】
また、干渉制御用サブフレームと非干渉制御用サブフレームとを時分割多重する移動体通信システムの干渉制御システムにおいて、端末２００ｂは、セル参照信号の下り送信電力として予め定められた下り送信電力設定値Ｔと干渉制御用サブフレームＡを送信するための下り送信電力値との差分値Δ（Ａ）である干渉制御用サブフレーム下り送信電力差分値と、下り送信電力設定値Ｔと非干渉制御用サブフレームＢを送信するための下り送信電力値との差分値Δ（Ｂ）である非干渉制御用サブフレーム下り送信電力差分値と、前記干渉制御用サブフレーム下り送信電力差分値と前記非干渉制御用サブフレーム下り送信電力差分値との差である差分値差分Δ（ＡＢ）と、について、前記干渉制御用サブフレーム下り送信電力差分値及び前記差分値差分を示すメッセージ、又は、前記非干渉制御用サブフレーム下り送信電力差分値及び前記差分値差分を示すメッセージと、非参照信号を含む干渉制御用サブフレームＡ及び非干渉制御用サブフレームＢの送信順を示すサブセットパターンを示すメッセージと、セル参照信号と、を受信する増幅部２１０及びＡ／Ｄ変換部２２０と、前記干渉制御用サブフレーム下り送信電力差分値及び前記差分値差分を示すメッセージ、又は、前記非干渉制御用サブフレーム下り送信電力差分値及び前記差分値差分を示すメッセージを検知する非参照信号復調部２３１及び下り送信電力差分メッセージ検知部２９５ｂと、前記非干渉制御用サブフレーム下り送信電力差分値（差分値Δ（Ｂ））を前記干渉制御用サブフレーム下り送信電力差分値（差分値Δ（Ａ））及び前記差分値差分Δ（ＡＢ）に基づいて算出し、又は、前記干渉制御用サブフレーム下り送信電力差分値（差分値Δ（Ａ））を前記非干渉制御用サブフレーム下り送信電力差分値（差分値Δ（Ｂ））及び前記差分値差分Δ（ＡＢ）に基づいて算出する差分補正部２９６と、前記サブセットパターンを示すメッセージを検知する非参照信号復調部２３１及びパターンメッセージ検知部２５０ｂと、セル参照信号の受信電力を測定する参照信号復調部２３２（測定部）と、受信されたサブフレームが干渉制御用サブフレームＡ又は非干渉制御用サブフレームＢのいずれであるかを、前記サブセットパターンを示すメッセージに基づいて検出し、受信された干渉制御用サブフレームＡに対して前記干渉制御用サブフレーム下り送信電力差分値（差分値Δ（Ａ））を選択し、受信された非干渉制御用サブフレームＢに対して前記非干渉制御用サブフレーム下り送信電力差分値（差分値Δ（Ｂ））を選択する、電力差分・サブセット管理部２７１ｂと、前記干渉制御用サブフレーム下り送信電力差分値が選択された場合、セル参照信号の受信電力Ｒと前記干渉制御用サブフレーム下り送信電力差分値（差分値Δ（Ａ））とに基づいて、干渉制御用サブフレームＡの下りチャネル品質Ｈ（Ａ）を算出し、前記非干渉制御用サブフレーム下り送信電力差分値が選択された場合、セル参照信号の受信電力Ｒと前記非干渉制御用サブフレーム下り送信電力差分値（差分値Δ（Ｂ））とに基づいて、非干渉制御用サブフレームＢの下りチャネル品質Ｈ（Ｂ）を算出するチャネル情報推定部２８１ｂと、を備える。
【００８６】
これらの構成により、非参照信号変調部１５１は、干渉制御用サブフレーム下り送信電力差分値（差分値Δ（Ａ））及び前記差分値差分Δ（ＡＢ）を示すメッセージ、又は、非干渉制御用サブフレーム下り送信電力差分値（差分値Δ（Ｂ））及び前記差分値差分Δ（ＡＢ）を示すメッセージと、サブセットパターンを示すメッセージとを送信する。また、チャネル情報推定部２８１ｂは、干渉制御用サブフレームＡの下りチャネル品質Ｈ（Ａ）、及び、非干渉制御用サブフレームＢの下りチャネル品質Ｈ（Ｂ）を算出する。これにより、干渉制御装置は、下りリンク通信容量（スループット）を向上させることができる。また、干渉制御装置は、安定した移動体通信システムを提供することができる。
【００８７】
［第３実施形態］
第３実施形態では、下り送信電力の差分値Δ（Ａ）と、下り送信電力の差分値Δ（Ｂ）との平均値に基づいてチャネル情報Ｈが算出される点が、第２実施形態と相違する。以下では、第２実施形態との相違点についてのみ説明する。
【００８８】
図４には、干渉制御システムの第３構成例が表されている。干渉制御システムは、干渉制御装置１００ｃと、端末２００ｃとを備える。干渉制御装置１００ｃは、例えば、マクロ基地局に備えられる。
【００８９】
まず、干渉制御装置１００ｃの構成を説明する。
干渉制御装置１００ｃは、サブセット管理部１１０ｃと、電力管理部１２０ｃと、下り送信電力メッセージ生成部１３０と、パターンメッセージ生成部１４０と、非参照信号変調部１５１と、参照信号変調部１５２と、Ｄ／Ａ変換部１６０と、増幅部１７０と、電力差分管理部１９０と、平均・差分算出部１９２と、下り送信電力差分メッセージ生成部１９５ｃと、電力差分調整部１９６とを備える。
【００９０】
ここで、サブセット管理部１１０ｃは、第２実施形態における、サブセット管理部１１０ｂに相当する。また、電力管理部１２０ｃは、第２実施形態における、電力管理部１２０ｂに相当する。また、下り送信電力差分メッセージ生成部１９５ｃは、第２実施形態における、下り送信電力差分メッセージ生成部１９５ｂに相当する。
【００９１】
平均・差分算出部１９２には、干渉制御用サブフレームＡに対応する下り送信電力の差分値Δ（Ａ）を示す情報、又は、非干渉制御用サブフレームＢに対応する下り送信電力の差分値Δ（Ｂ）を示す情報が、増幅部１７０が次回増幅するサブフレームサブセット毎に、電力差分管理部１９０から次々入力される。
【００９２】
以下、干渉制御用サブフレームＡの下り送信電力の差分値Δ（Ａ）は、非干渉制御用サブフレームＢの下り送信電力の差分値Δ（Ｂ）以上であるものとして説明を続ける。
【００９３】
平均・差分算出部１９２は、下り送信電力の差分値Δ（Ａ）を示す情報、及び、下り送信電力の差分値Δ（Ｂ）を示す情報に基づいて、下り送信電力の差分値Δ（Ａ）と下り送信電力の差分値Δ（Ｂ）との加算平均による平均値ａｖｅ（Δ）（＝（下り送信電力の差分値Δ（Ａ）＋下り送信電力の差分値Δ（Ｂ））／２）を算出する。
【００９４】
また、平均・差分算出部１９２は、下り送信電力の差分値Δ（Ａ）を示す情報、及び、平均値ａｖｅ（Δ）に基づいて、下り送信電力の差分値Δ（Ａ）と平均値ａｖｅ（Δ）との差分である平均値差分Δ’（＝下り送信電力の差分値Δ（Ａ）−平均値ａｖｅ（Δ））を算出する。また、平均・差分算出部１９２は、平均値ａｖｅ（Δ）及び平均値差分Δ’を示す情報を、下り送信電力差分メッセージ生成部１９５ｃに出力する。
【００９５】
なお、平均・差分算出部１９２は、下り送信電力の差分値Δ（Ｂ）を示す情報、及び、平均値ａｖｅ（Δ）に基づいて、下り送信電力の差分値Δ（Ｂ）と平均値ａｖｅ（Δ）との差分である平均値差分Δ’（＝平均値ａｖｅ（Δ）−下り送信電力の差分値Δ（Ｂ））を算出してもよい。
【００９６】
下り送信電力差分メッセージ生成部１９５ｃには、平均値ａｖｅ（Δ）及び平均値差分Δ’を示す情報が、差分算出部１９１から入力される。下り送信電力差分メッセージ生成部１９５ｃは、平均値ａｖｅ（Δ）及び平均値差分Δ’を示す情報を、予め定められた方法により制御メッセージに変換し、変換した制御メッセージを非参照信号変調部１５１に出力する。
【００９７】
次に、端末２００ｃの構成を説明する。
端末２００ｃは、増幅部２１０と、Ａ／Ｄ変換部２２０と、非参照信号復調部２３１と、参照信号復調部２３２と、下り送信電力メッセージ検知部２４０ｃと、パターンメッセージ検知部２５０ｃと、電力差分・サブセット管理部２７１ｃと、チャネル情報推定部２８１ｃと、通知部２９１ｃと、下り送信電力差分メッセージ検知部２９５ｃと、平均・差分補正部２９７とを備える。
【００９８】
ここで、下り送信電力メッセージ検知部２４０ｃは、第２実施形態における、下り送信電力メッセージ検知部２４０ｂに相当する。また、パターンメッセージ検知部２５０ｃは、第２実施形態における、パターンメッセージ検知部２５０ｂに相当する。また、電力差分・サブセット管理部２７１ｃは、第２実施形態における、電力差分・サブセット管理部２７１ｂに相当する。また、チャネル情報推定部２８１ｃは、第２実施形態における、チャネル情報推定部２８１ｂに相当する。また、通知部２９１ｃは、第２実施形態における、通知部２９１ｂに相当する。
【００９９】
下り送信電力差分メッセージ検知部２９５ｃは、入力された論理情報から制御メッセージを抽出することにより、平均値ａｖｅ（Δ）及び平均値差分Δ’を検知する。下り送信電力差分メッセージ検知部２９５ｃは、平均値ａｖｅ（Δ）及び平均値差分Δ’を示す情報を、平均・差分補正部２９７に出力する。
【０１００】
平均・差分補正部２９７は、下り送信電力の差分値Δ（Ａ）（＝平均値ａｖｅ（Δ）＋平均値差分Δ’）を算出する。また、平均・差分補正部２９７は、下り送信電力の差分値Δ（Ｂ）（＝平均値ａｖｅ（Δ）−平均値差分Δ’）を算出する。
【０１０１】
平均・差分補正部２９７は、算出した下り送信電力の差分値Δ（Ａ）を示す情報を、電力差分・サブセット管理部２７１ｃに出力する。また、平均・差分補正部２９７は、算出した下り送信電力の差分値Δ（Ｂ）を示す情報を、電力差分・サブセット管理部２７１ｃに出力する。つまり、平均・差分補正部２９７は、下り送信電力の差分値Δ（Ａ）を示す情報、及び、下り送信電力の差分値Δ（Ｂ）を示す情報の両方を、電力差分・サブセット管理部２７１ｃに出力する。
【０１０２】
以上のように、干渉制御用サブフレームと非干渉制御用サブフレームとを時分割多重する移動体通信システムの干渉制御システムにおいて、干渉制御装置１００ｃは、非参照信号を含む干渉制御用サブフレーム及び非干渉制御用サブフレームの送信順を示すサブセットパターンを記憶するサブセット管理部１１０ｃと、セル参照信号の下り送信電力として予め定められた下り送信電力設定値Ｔと、干渉制御用サブフレームＡを送信するための下り送信電力値と、の差分値Δ（Ａ）である干渉制御用サブフレーム下り送信電力差分値を示す情報を、干渉制御用サブフレームＡに対応付けて記憶し、下り送信電力設定値Ｔと、非干渉制御用サブフレームＢを送信するための下り送信電力値と、の差分値Δ（Ｂ）である非干渉制御用サブフレーム下り送信電力差分値を示す情報を、非干渉制御用サブフレームＢに対応付けて記憶する（図２を参照）電力差分管理部１９０と、前記干渉制御用サブフレーム下り送信電力差分値及び前記非干渉制御用サブフレーム下り送信電力差分値に基づいて、前記干渉制御用サブフレーム下り送信電力差分値及び前記非干渉制御用サブフレーム下り送信電力差分値の加算平均による平均値ａｖｅ（Δ）と、前記干渉制御用サブフレーム下り送信電力差分値又は前記非干渉制御用サブフレーム下り送信電力差分値と前記平均値との差である平均値差分Δ’とを算出する、平均・差分算出部１９２と、前記平均値及び前記平均値差分を示すメッセージを生成する下り送信電力差分メッセージ生成部１９５ｃと、前記サブセットパターンを示すメッセージを生成するパターンメッセージ生成部１４０と、下り送信電力設定値Ｔにより定まる下り送信電力で、セル参照信号を送信する参照信号変調部１５２、電力差分調整部１９６、Ｄ／Ａ変換部１６０及び増幅部１７０と、前記平均値及び前記平均値差分を示すメッセージと、前記サブセットパターンを示すメッセージとを、前記サブセットパターンに応じて非参照信号として送信する非参照信号変調部１５１、電力差分調整部１９６、Ｄ／Ａ変換部１６０及び増幅部１７０と、を備える。
【０１０３】
また、干渉制御用サブフレームと非干渉制御用サブフレームとを時分割多重する移動体通信システムの干渉制御システムにおいて、端末２００ｃは、セル参照信号の下り送信電力として予め定められた下り送信電力設定値Ｔと干渉制御用サブフレームＡを送信するための下り送信電力値との差分値Δ（Ａ）である干渉制御用サブフレーム下り送信電力差分値と、下り送信電力設定値Ｔと非干渉制御用サブフレームＢを送信するための下り送信電力値との差分値である非干渉制御用サブフレーム下り送信電力差分値と、前記干渉制御用サブフレーム下り送信電力差分値及び前記非干渉制御用サブフレーム下り送信電力差分値の加算平均による平均値ａｖｅ（Δ）と、前記干渉制御用サブフレーム下り送信電力差分値又は前記非干渉制御用サブフレーム下り送信電力差分値と前記平均値との差である平均値差分Δ’と、について、前記平均値及び前記平均値差分を示すメッセージと、非参照信号を含む干渉制御用サブフレーム及び非干渉制御用サブフレームの送信順を示すサブセットパターンを示すメッセージと、セル参照信号と、を受信する増幅部２１０及びＡ／Ｄ変換部２２０と、前記平均値及び前記平均値差分を示すメッセージを検知する非参照信号復調部２３１及び下り送信電力差分メッセージ検知部２９５ｃと、前記干渉制御用サブフレーム下り送信電力差分値及び前記非干渉制御用サブフレーム下り送信電力差分値を、前記平均値及び前記平均値差分に基づいて算出する平均・差分補正部２９７と、前記サブセットパターンを示すメッセージを検知する非参照信号復調部２３１及びパターンメッセージ検知部２５０ｃと、セル参照信号の受信電力Ｒを測定する参照信号復調部２３２（測定部）と、受信されたサブフレームが干渉制御用サブフレームＡ又は非干渉制御用サブフレームＢのいずれであるかを、前記サブセットパターンを示すメッセージに基づいて検出し、受信された干渉制御用サブフレームＡに対して前記干渉制御用サブフレーム下り送信電力差分値Δ（Ａ）を選択し、受信された非干渉制御用サブフレームＢに対して前記非干渉制御用サブフレーム下り送信電力差分値Δ（Ｂ）を選択する、電力差分・サブセット管理部２７１ｃと、前記干渉制御用サブフレーム下り送信電力差分値が選択された場合、セル参照信号の受信電力Ｒと前記干渉制御用サブフレーム下り送信電力差分値Δ（Ａ）とに基づいて、干渉制御用サブフレームＡの下りチャネル品質Ｈ（Ａ）を算出し、前記非干渉制御用サブフレーム下り送信電力差分値が選択された場合、セル参照信号の受信電力Ｒと前記非干渉制御用サブフレーム下り送信電力差分値Δ（Ｂ）とに基づいて、非干渉制御用サブフレームＢの下りチャネル品質Ｈ（Ｂ）を算出するチャネル情報推定部２８１ｃと、を備える。
【０１０４】
これらの構成により、非参照信号変調部１５１は、平均値ａｖｅ（Δ）及び平均値差分Δ’を示すメッセージと、サブセットパターンを示すメッセージとを、サブセットパターンを示すメッセージとを送信する。また、チャネル情報推定部２８１ｃは、干渉制御用サブフレームＡの下りチャネル品質Ｈ（Ａ）、及び、非干渉制御用サブフレームＢの下りチャネル品質Ｈ（Ｂ）を算出する。これにより、干渉制御装置は、下りリンク通信容量（スループット）を向上させることができる。また、干渉制御装置は、安定した移動体通信システムを提供することができる。
【０１０５】
［第４実施形態］
第４実施形態では、下り送信電力の差分値Δ（Ａ）と下り送信電力の差分値Δ（Ｂ）との組み合わせを示す識別情報がメッセージ化される点が、第１実施形態と相違する。以下では、第１実施形態との相違点についてのみ説明する。
【０１０６】
図５には、干渉制御システムの第４構成例が表されている。干渉制御システムは、干渉制御装置１００ｄと、端末２００ｄとを備える。干渉制御装置１００ｄは、例えば、マクロ基地局に備えられる。
【０１０７】
まず、干渉制御装置１００ｄの構成を説明する。
干渉制御装置１００ｄは、サブセット管理部１１０ｄと、電力管理部１２０ｄと、下り送信電力メッセージ生成部１３０と、パターンメッセージ生成部１４０と、非参照信号変調部１５１と、参照信号変調部１５２と、Ｄ／Ａ変換部１６０と、増幅部１７０と、電力差分テーブル管理部１９３と、下り送信電力差分メッセージ生成部１９５ｄと、電力差分調整部１９６とを備える。
【０１０８】
ここで、サブセット管理部１１０ｄは、第１実施形態における、サブセット管理部１１０ａに相当する。また、電力管理部１２０ｄは、第１実施形態における、電力管理部１２０ａに相当する。
【０１０９】
電力差分テーブル管理部１９３には、サブセットパターンを示す情報が、サブセット管理部１１０ｄから入力される。また、電力差分テーブル管理部１９３は、下り送信電力の差分値Δ（Ａ）と下り送信電力の差分値Δ（Ｂ）との組み合わせを、識別情報（ＩＤ：０〜Ｎ。Ｎは１以上の整数）に対応付けて、管理テーブルとして予め記憶する。
【０１１０】
図６には、サブフレームサブセット間の下り送信電力の差分値の組み合わせと、識別情報との対応を示す管理テーブルの例が示されている。以下では、一例として、識別情報０は、干渉制御用サブフレームＡの下り送信電力の差分値Δ（Ａ０）と、非干渉制御用サブフレームＢの下り送信電力の差分値Δ（Ｂ０）との組み合わせに対応付けられているものとする。また、識別情報１は、干渉制御用サブフレームＡの下り送信電力の差分値Δ（Ａ１）と、非干渉制御用サブフレームＢの下り送信電力の差分値Δ（Ｂ１）との組み合わせに対応付けられているものとする。識別情報２〜Ｎについても、同様である。
【０１１１】
電力差分テーブル管理部１９３は、予め定められた条件に基づいて、下り送信電力の差分値の組み合わせを示す識別情報０〜Ｎのうち一つを選択する。以下、電力差分テーブル管理部１９３は、一例として、識別情報０を選択したものとして説明を続ける。電力差分テーブル管理部１９３は、選択した下り送信電力の差分値の組み合わせを示す識別情報を示す情報を、下り送信電力差分メッセージ生成部１９５ｄに出力する。
【０１１２】
下り送信電力差分メッセージ生成部１９５ｄには、選択した識別情報０を示す情報が、電力差分テーブル管理部１９３から入力される。下り送信電力差分メッセージ生成部１９５ｄは、識別情報０を示す情報を、予め定められた方法により制御メッセージに変換し、変換した制御メッセージを非参照信号変調部１５１に出力する。
【０１１３】
次に、端末２００ｄの構成を説明する。
端末２００ｄは、増幅部２１０と、Ａ／Ｄ変換部２２０と、非参照信号復調部２３１と、参照信号復調部２３２と、下り送信電力メッセージ検知部２４０ｄと、パターンメッセージ検知部２５０ｄと、電力差分・識別情報テーブル管理部２７２と、チャネル情報推定部２８１ｄと、通知部２９１ｄと、下り送信電力差分メッセージ検知部２９５ｄとを備える。
【０１１４】
ここで、下り送信電力メッセージ検知部２４０ｄは、第１実施形態における、下り送信電力メッセージ検知部２４０ａに相当する。また、パターンメッセージ検知部２５０ｄは、第１実施形態における、パターンメッセージ検知部２５０ａに相当する。また、チャネル情報推定部２８１ｄは、第１実施形態における、チャネル情報推定部２８１ａに相当する。また、通知部２９１ｄは、第１実施形態における、通知部２９１ａに相当する。
【０１１５】
下り送信電力差分メッセージ検知部２９５ｄは、入力された論理情報から制御メッセージを抽出することにより、識別情報０を示す情報を検知する。また、下り送信電力差分メッセージ検知部２９５ｄは、識別情報０を示す情報を、電力差分・識別情報テーブル管理部２７２に出力する。
【０１１６】
電力差分・識別情報テーブル管理部２７２には、識別情報０を示す情報が、下り送信電力差分メッセージ検知部２９５ｄから入力される。また、電力差分・識別情報テーブル管理部２７２には、サブセットパターンを示す情報が、パターンメッセージ検知部２５０ｄから入力される。ここで、電力差分・識別情報テーブル管理部２７２は、サブセットチャネル情報Ｈを算出する対象として、直近に受信されたサブフレームサブセットを、サブセットパターンを示す情報に基づいて検出する。
【０１１７】
具体的には、電力差分・識別情報テーブル管理部２７２は、直近に受信されたサブフレームサブセットが干渉制御用サブフレームＡであることを、サブセットパターンを示す情報が示している場合、チャネル情報Ｈを算出する対象とするサブフレームサブセットとして、干渉制御用サブフレームＡを選択する。一方、電力差分・識別情報テーブル管理部２７２は、直近に受信されたサブフレームサブセットが非干渉制御用サブフレームＢであることを、サブセットパターンを示す情報が示している場合、チャネル情報Ｈを算出する対象とするサブフレームサブセットとして、非干渉制御用サブフレームＢを選択する。
【０１１８】
また、電力差分・識別情報テーブル管理部２７２は、チャネル情報Ｈを算出する対象とする直近に受信されたサブフレームサブセットの下り送信電力の差分値Δを、予め記憶している管理テーブル（図６を参照）において識別情報０に対応づけられた差分値Δ（Ａ０）及び差分値Δ（Ｂ０）のうちから選択する。
【０１１９】
ここで、電力差分・識別情報テーブル管理部２７２は、チャネル情報Ｈを算出する対象とするサブフレームサブセットが、干渉制御用サブフレームＡである場合、干渉制御用サブフレームＡ及び識別情報０に対応付けられた、下り送信電力の差分値Δ（Ａ０）を示す情報を、チャネル情報推定部２８１ｄに出力する。一方、電力差分・識別情報テーブル管理部２７２は、チャネル情報Ｈを算出する対象とするサブフレームサブセットが、非干渉制御用サブフレームＢである場合、干渉制御用サブフレームＢ及び識別情報０に対応付けられた、下り送信電力の差分値Δ（Ｂ０）を示す情報を、チャネル情報推定部２８１ｄに出力する。
【０１２０】
以上のように、干渉制御用サブフレームと非干渉制御用サブフレームとを時分割多重する移動体通信システムの干渉制御システムにおいて、干渉制御装置１００ｄは、非参照信号を含む干渉制御用サブフレームＡ及び非干渉制御用サブフレームＢの送信順を示すサブセットパターンを記憶するサブセット管理部１１０ｄと、セル参照信号の下り送信電力として予め定められた下り送信電力設定値Ｔと干渉制御用サブフレームＡを送信するための下り送信電力値との差分値Δ（Ａ）である干渉制御用サブフレーム下り送信電力差分値と、下り送信電力設定値Ｔと非干渉制御用サブフレームＢを送信するための下り送信電力値との差分値Δ（Ｂ）である非干渉制御用サブフレーム下り送信電力差分値と、の組み合わせを識別するための識別情報（図６を参照）を、予め定められた条件に基づいて選択する電力差分テーブル管理部１９３と、選択された前記識別情報を示すメッセージを生成する下り送信電力差分メッセージ生成部１９５ｄと、前記サブセットパターンを示すメッセージを生成するパターンメッセージ生成部１４０と、下り送信電力設定値Ｔにより定まる下り送信電力で、セル参照信号を送信する参照信号変調部１５２、電力差分調整部１９６、Ｄ／Ａ変換部１６０及び増幅部１７０と、選択された前記識別情報を示すメッセージと、前記サブセットパターンを示すメッセージとを、前記サブセットパターン（例えば、ＡＡＢＡＢ…）に応じて非参照信号として送信する非参照信号変調部１５１、電力差分調整部１９６、Ｄ／Ａ変換部１６０及び増幅部１７０と、を備える。
【０１２１】
また、干渉制御用サブフレームと非干渉制御用サブフレームとを時分割多重する移動体通信システムの干渉制御システムにおいて、端末２００ｄは、セル参照信号の下り送信電力として予め定められた下り送信電力設定値Ｔと干渉制御用サブフレームＡを送信するための下り送信電力値との差分値Δ（Ａ）である干渉制御用サブフレーム下り送信電力差分値と、下り送信電力設定値Ｔと非干渉制御用サブフレームＢを送信するための下り送信電力値との差分値Δ（Ｂ）である非干渉制御用サブフレーム下り送信電力差分値と、の組み合わせを識別するための識別情報について、選択された前記識別情報を示すメッセージと、非参照信号を含む干渉制御用サブフレームＡ及び非干渉制御用サブフレームＢの送信順を示すサブセットパターンを示すメッセージと、セル参照信号と、を受信する増幅部２１０及びＡ／Ｄ変換部２２０と、選択された前記識別情報を示すメッセージを検知する非参照信号復調部２３１及び下り送信電力差分メッセージ検知部２９５ｄと、前記サブセットパターンを示すメッセージを検知する非参照信号復調部２３１及びパターンメッセージ検知部２５０ｄと、セル参照信号の受信電力Ｒを測定する参照信号復調部２３２（測定部）と、受信されたサブフレームが干渉制御用サブフレームＡ又は非干渉制御用サブフレームＢのいずれであるかを、前記サブセットパターンを示すメッセージに基づいて検出し、受信された干渉制御用サブフレームＡに対して、選択された前記識別情報に対応付けられた前記干渉制御用サブフレーム下り送信電力差分値（差分値Δ（Ａ））を選択し、受信された非干渉制御用サブフレームＢに対して、選択された前記識別情報に対応付けられた前記非干渉制御用サブフレーム下り送信電力差分値（差分値Δ（Ｂ））を選択する、電力差分・識別情報テーブル管理部２７２と、前記干渉制御用サブフレーム下り送信電力差分値が選択された場合、セル参照信号の受信電力Ｒと前記干渉制御用サブフレーム下り送信電力差分値とに基づいて、干渉制御用サブフレームＡの下りチャネル品質Ｈ（Ａ）を算出し、前記非干渉制御用サブフレーム下り送信電力差分値が選択された場合、セル参照信号の受信電力Ｒと前記非干渉制御用サブフレーム下り送信電力差分値とに基づいて、非干渉制御用サブフレームの下りチャネル品質Ｈ（Ｂ）を算出するチャネル情報推定部２８１ｄと、を備える。
【０１２２】
これらの構成により、非参照信号変調部１５１は、選択された識別情報（ＩＤ）を示すメッセージと、サブセットパターンを示すメッセージとを送信する。チャネル情報推定部２８１ｄは、干渉制御用サブフレームＡの下りチャネル品質Ｈ（Ａ）、及び、非干渉制御用サブフレームＢの下りチャネル品質Ｈ（Ｂ）を算出する。これにより、干渉制御装置は、下りリンク通信容量（スループット）を向上させることができる。また、干渉制御装置は、安定した移動体通信システムを提供することができる。
【０１２３】
以上、この発明の実施形態について図面を参照して詳述してきたが、具体的な構成はこの実施形態に限られるものではなく、この発明の要旨を逸脱しない範囲の設計等も含まれる。
【０１２４】
なお、以上に説明した干渉制御システム、干渉制御装置及び端末を実現するためのプログラムを、コンピュータ読み取り可能な記録媒体に記録し、そのプログラムをコンピュータシステムに読み込ませて実行するようにしてもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【０１２５】
１００ａ〜１００ｄ…干渉制御装置、１１０ａ〜１１０ｄ…サブセット管理部、１２０ａ〜１２０ｄ…電力管理部、１３０…下り送信電力メッセージ生成部、１４０…パターンメッセージ生成部、１５０…変調部（送信部）、１５１…非参照信号変調部（送信部）、１５２…参照信号変調部（送信部）、１６０…Ｄ／Ａ変換部（送信部）、１７０…増幅部（送信部）、１８０…指示メッセージ生成部、１９０…電力差分管理部、１９１…差分算出部、１９２…平均・差分算出部、１９５ａ〜１９５ｃ…下り送信電力差分メッセージ生成部、１９６…電力差分調整部、２００ａ〜２００ｄ…端末、２１０…増幅部（受信部）、２２０…Ａ／Ｄ変換部（受信部）、２３０…復調部（受信部）、２３１…非参照信号復調部（受信部、測定部）、２３２…参照信号復調部（受信部）、２４０ａ〜２４０ｄ…下り送信電力メッセージ検知部、２５０ａ〜２５０ｄ…パターンメッセージ検知部、２７０…電力・サブセット管理部、２７１ａ〜２７１ｃ…電力差分・サブセット管理部、２７２…電力差分・識別情報テーブル管理部、２８１ａ〜２８１ｄ…チャネル情報推定部、２８５…指示メッセージ検知部、２９０…上り送信電力算出部、２９１ａ〜２９１ｄ…通知部、２９５ａ〜２９５ｄ…下り送信電力差分メッセージ検知部、２９６…差分補正部、２９７…平均・差分補正部
【図１】
2013131823.tif 000003
【図２】
2013131823.tif 000004
【図３】
2013131823.tif 000005
【図４】
2013131823.tif 000006
【図５】
2013131823.tif 000007
【図６】
2013131823.tif 000008